(57)【要約】  【課題】  該ジャックの前記プラグ挿入孔に異物が挿入するのを防ぐと共に、前記ジャックが取り付けられている基板へ力が伝わるのを低減することができ部品点数及び製造コストを低減する。  【解決手段】  ジャック１の正面側に湾曲する蓋部２１と、蓋部２１のジャック１の側面側の端部に所定の角度で連結する側面支持部２２とを有している。ジャックホルダ２の側面支持部２２は蓋部２１と連結している側と反対側の端部が一箇所に集束しており支持部２３が形成されているジャックホルダ２。【選択図】      図１
2006024505.tif 000002
【特許請求の範囲】
【請求項１】
前面に外部機器と電気的に接続するケーブルの端部に取り付けられたプラグを挿入する
ためのジャックを有するＡＶ機器であって、
前記ジャックは直方体形状を有し基板に電気的に取り付けられ、前記プラグが挿入され
る孔が前記ＡＶ機器の外面より外部に露出しており、
前記ジャックを保持するためのジャックホルダが備えられており、
前記ジャックホルダは一方向に延びる軸に沿って湾曲する曲面である蓋部と、前記蓋部
の前記軸と平行する両端部に該蓋部と所定の角度をなして設けられる側面支持部とを有し
ており、
前記側面支持部には前記蓋部と連結している側と反対側の先端が集束し支持部が形成さ
れており、
前記ジャックホルダは前記支持部で前記ＡＶ機器に設けられた支持用ステーに回動可能
に支持されており、
前記ジャックホルダは前記ジャックのプラグ挿入孔が形成された面を覆う閉位置と、前
記閉位置の反対側の回動した開位置とのいずれかに移動するものであり、
前記ジャックホルダが前記閉位置にあるときは前記プラグ挿入孔に異物が付着するのを
防ぎ、前記開位置にあるときは、前記ジャックホルダの蓋部の内面が前記ジャックのプラ
グ挿入孔が形成された面の反対側の面のうち少なくとも一部と接触し、該ジャックに前記
プラグより加えられる力のうち一部又は全てを受けることを特徴とするＡＶ機器。
【請求項２】
外部機器と電気的に接続するケーブルの端部に取り付けられたプラグを挿入するための
ジャックを保持するジャックホルダであって、
前記ジャックホルダは一方向に延びる軸に沿って湾曲する曲面である蓋部と、前記蓋
部の前記軸と平行する両端部に該蓋部と所定の角度をなして設けられる側面支持部と、を
有しており、
前記側面支持部は前記蓋部と連結している側と反対側の先端が集束し支持部を形成して
おり、
前記ジャックホルダは前記支持部でＡＶ機器に設けられた支持用ステーに回動可能に支
持されており、
前記ジャックホルダは前記ジャックのプラグ挿入孔が形成された面を覆う閉位置と、前
記閉位置の反対側の回動した開位置とのいずれかに移動するものであり、
前記ジャックホルダが前記閉位置にあるときは前記プラグ挿入孔に異物が付着するのを
防止し、前記開位置にあるときは、前記ジャックホルダの蓋部の内面が前記ジャックのプ
ラグ挿入孔が形成された面の反対側の面のうち少なくとも一部と接触し、該ジャックがプ
ラグより加えられる力の一部又は全てを受けることを特徴とするジャックホルダ。
【発明の詳細な説明】
【技術分野】
【０００１】
本発明は、ＲＣＡプラグ、Ｓ端子プラグ、イヤホンプラグ等のプラグを挿入するジャッ
クを保持するジャックホルダ及びそのジャックホルダを備えたＡＶ機器に関するものであ
る。
【背景技術】
【０００２】
従来、ＴＶやＶＴＲ等のＡＶ機器は外部の機器と電気的に接続する場合、前記AV機器に
設けられたジャック（例えば、ＲＣＡジャック、Ｓ端子ジャック、イヤホンジャック等）
に該ジャックに対応したプラグを挿入することで電気的に接続することができる。
【０００３】
前記ジャックは前記電気機器の内部に設けられた基板上に実装されるものである。前記
ジャックに前記プラグを挿入したり、前記ジャックから前記プラグを引き抜いたりすると
きには、前記ジャックに大きな力が加わる。
【０００４】
前記プラグを前記ジャックに挿入したり、前記ジャックより引き抜いたりするときに該
ジャックと前記基板の接続部にかかる力を低減するために、前記ジャックはジャックホル
ダにて保持されている。また、前記ジャックホルダは前記ＡＶ機器本体に形成されている
支持ステーに取り付けられており、該ジャックホルダに加えられる力は、前記支持ステー
にて受けられる。
【０００５】
また、最近のＴＶ、ＶＴＲ等のＡＶ機器の場合、ゲーム機、ビデオカメラ等を接続する
ために、前記ＡＶ機器の正面側に前記ジャックを備えているものが増えてきている。これ
らＡＶ機器の正面側には、ＡＶ機器を操作するための操作ボタンが配置されており、ほと
んどは埃の付着を防ぎ、他物品が前記操作ボタンに接触することによる誤作動を防止する
ために前記ＡＶ機器の前面の少なくとも一部には開閉可能な蓋が取り付けられている。従
来どおり、背面にも前記ジャックは備えられている。
【０００６】
例えばゲーム機やビデオカメラ等を前記ＡＶ機器に接続する場合、常時設置しておかな
い場合が多く、使用するごとにプラグをジャックに挿したり、ジャックから抜いたりする
ので、前記ＡＶ機器に備えられた背面のジャックにはアクセスしにくく効率が悪い。そこ
で、前記ＡＶ機器の前面に配置されたジャックを利用する。すなわち、前記背面のジャッ
クに挿し込まれたプラグは頻繁に抜き挿しするものではないが、前記正面のジャックは頻
繁に抜き挿しし、該正面のジャックは前記プラグが抜かれた状態で長時間放置される場合
が多い。
【０００７】
前記ジャックは前記プラグが抜かれた状態で長時間放置すると、該プラグを挿入する孔
に埃、塵等の異物が付着する。前記前記異物がしていると、該ジャックと前記プラグとの
接触が不安定になる。前記ジャックに埃、塵等の異物が付着しないように、前記ＡＶ機器
の操作ボタンを隠すための蓋で隠される部分に該ジャックを配置するものがある。
【特許文献１】特開２００３−３１７８５２号公報
【特許文献２】特開２００３−３２３９２７号公報
【発明の開示】
【発明が解決しようとする課題】
【０００８】
しかしながら、前記蓋は上述のとおり前記ＡＶ機器の正面に設けられている前記操作ボ
タンも一緒に覆っており、前記正面のジャックに前記プラグを挿し込んでいる間は、該蓋
は開きっぱなしである。その間は埃、塵等の異物が蓋の内面やボタン等に付着、堆積する
。また、前記ＡＶ機器とは直接関係ない物品が前記操作ボタンに接触することで、誤作動
が起こる可能性がある。
【０００９】
また、背面又は側面に設けられたジャックは、常に使用されているジャック以外は外部
に露出して配置されていることが多く、前記ＡＶ機器に新たに外部機器を接続する場合に
、背面又は側面に設けられたジャックを使うには埃、塵等の異物が付着しており、安定し
た接続を行うためにジャックを掃除しなくてはならず、特に背面、側面の場合非常に手間
である。
【００１０】
さらに前記ジャックを前記ジャックホルダで保持し、さらにジャックのプラグ挿入孔を
カバーするための蓋を備えている場合、前記ジャックホルダ及び前記蓋の両方を設けてい
なくてはならず、それだけ部品点数が多くなり、コストアップにつながる。
【００１１】
そこで本発明は、前記ジャックの前記プラグ挿入孔に異物が挿入するのを防ぐと共に、
前記ジャックが取り付けられている基板へ力が伝わるのを低減することができるジャック
ホルダを提供することを目的とする。
【００１２】
また本発明は、該ジャックの前記プラグ挿入孔に異物が挿入するのを防ぐと共に、前記
ジャックが取り付けられている基板へ力が伝わるのを低減することができ部品点数及び製
造コストを低減することができるＡＶ機器を提供することを目的とする。
【課題を解決するための手段】
【００１３】
上記目的を達成するために請求項１の発明は、前面に外部機器と電気的に接続するケー
ブルの端部に取り付けられたプラグを挿入するためのジャックを有するＡＶ機器であって
、前記ジャックは直方体形状を有し、基板に電気的に取り付けられ、前記プラグが挿入さ
れる孔が前記ＡＶ機器の外面より外部に露出しており、前記ジャックを保持するためのジ
ャックホルダが備えられており、前記ジャックホルダは一方向に延びる軸に沿って湾曲す
る曲面である蓋部と、前記蓋部の前記軸と平行する両端部に該蓋部と所定の角度をなして
設けられる側面支持部とを有しており、前記側面支持部には前記蓋部と連結している側と
反対側の先端が集束し支持部が形成されており、前記ジャックホルダは前記支持部で前記
ＡＶ機器の回動可能に支持されており、前記ジャックホルダは前記ジャックのプラグ挿入
孔が形成された面を覆う閉位置と、前記閉位置の反対側の回動した開位置とのいずれかに
移動するものであり、前記ジャックホルダが前記開位置に配置されているときに、前記ジ
ャックホルダの蓋部の内面が前記ジャックのプラグ挿入孔が形成された面の反対側の面の
うち少なくとも一部と接触し、該ジャックを保持することを特徴とするＡＶ機器を提供す
る。
【００１４】
この構成によると、前記ジャックのプラグ挿入孔にプラグを挿入するときに該ジャック
に加わる力を前記ジャックホルダ及び支持用ステーで受けるので、該ジャックが取り付け
られている基板へ加わる力の全て又は一部を取り除くことができる。また、前記蓋部が回
動して前記閉位置にあるときは、前記ジャックのプラグ挿入孔への異物の付着を低減する
ことができる。
【００１５】
このことによって、前記ジャックホルダとジャックの蓋を１つの部材が兼ねるので、そ
れだけ部品点数を減らすことができ、それだけ、前記ＡＶ機器の製造コストを低減するこ
とができる。
【００１６】
上記目的を達成するために請求項２の発明は、ＡＶ機器に備えられ、外部機器と電気的
に接続するケーブルの端部に取り付けられたプラグを挿入するためのジャックを保持する
ジャックホルダであって、前記ジャックホルダは一方向に延びる軸に沿って湾曲する曲面
である蓋部と、前記蓋部の前記軸と平行する両端部に該蓋部と所定の角度をなして設けら
れる側面支持部とを有しており、前記側面支持部は前記蓋部と連結している側と反対側の
先端が集束し支持部を形成しており、前記ジャックホルダは前記支持部で前記ＡＶ機器に
回動可能に支持されており、前記ジャックホルダは前記ジャックのプラグ挿入孔が形成さ
れた面を覆う閉位置と、前記閉位置の反対側の回動した開位置とのいずれかに移動するも
のであり、前記ジャックホルダが前記開位置に配置されているときに、前記ジャックホル
ダの蓋部の内面が前記ジャックのプラグ挿入孔が形成された面の反対側の面のうち少なく
とも一部と接触し、該ジャックを保持することを特徴とするジャックホルダを提供する。
【００１７】
この構成によると、前記ジャックのプラグ挿入孔にプラグを挿入するときに該ジャック
に加わる力を前記ジャックホルダ及び支持用ステーで受けるので、該ジャックが取り付け
られている基板へ加わる力を全て又は一部取り除くことができる。また、前記蓋部が回動
して前記閉位置にあるときは、前記ジャックのプラグ挿入孔への異物の付着を低減するこ
とができる。
【発明の効果】
【００１８】
本発明によると、前記ジャックの前記プラグ挿入孔に異物が挿入するのを防ぐと共に、
前記ジャックが取り付けられている基板へ力が伝わるのを低減することができ部品点数及
び製造コストを低減することができるＡＶ機器を提供することができる。
【００１９】
また本発明によると、前記ジャックの前記プラグ挿入孔に異物が挿入するのを防ぐと共
に、前記ジャックが取り付けられている基板へ力が伝わるのを低減することができるジャ
ックホルダを提供することができる。
【発明を実施するための最良の形態】
【００２０】
以下に本発明の実施形態を図面を参照して説明する。図１に本発明にかかるジャックホ
ルダの斜視図を示す。図１に示すジャック１はそれには限定されないがここではＲＣＡジ
ャックであり、ステレオ音声信号用のプラグが挿入される。また図示は省略したが、ＲＣ
Ａジャックはこの音声信号用のプラグ以外にも、映像信号用のプラグも挿入される。図１
に示すジャック１は、本体部１１が略直方体形状を有しており、正面１１１にはプラグ挿
入孔１２を備えている。プラグ挿入孔１２は左側音声用プラグ挿入孔１２Ｌ、右側音声用
プラグ挿入孔１２Ｒを有している。
【００２１】
図１に示すジャックホルダ２は、ジャック１の正面側に湾曲する蓋部２１と、蓋部２１
のジャック１の側面側の端部に所定の角度（それには限定されないが、ここでは９０°）
で連結する側面支持部２２とを有している。ジャックホルダ２の側面支持部２２は蓋部２
１と連結している側と反対側の端部が一箇所に集束しており支持部２３が形成されている
。
【００２２】
図１に示すようにジャックホルダ２は側面支持部２２の支持部２３を後述のＡＶ機器３
（それには限定されないがここでは、ＶＴＲ３）の支持用のステー３１にピン２４で支持
されている。ジャックホルダ２は支持部２３を中心に回動可能に支持されている。図１に
おいてジャックホルダ２は閉位置Ｐ１に配置されており、このとき、ジャック１のプラグ
挿入孔１２はジャックホルダ２の蓋部２１に覆われている。
【００２３】
ジャックホルダ２の蓋部２２がジャック１のプラグ挿入孔１２を覆っているので、プラ
グ挿入孔１２に塵、埃等の異物が付着するのを防ぐことができ、ジャック１と後述のプラ
グ４が接触不良になるのを防ぐことができる。
【００２４】
図２に図１に示すジャックホルダの蓋部を開いた状態の斜視図を示す。図２に示すよう
に、ジャックホルダ２は側面支持部２２の支持部２３を中心に回動し開位置Ｐ２に配置さ
れている。蓋部２１は支持部２３を中心に回動することでジャック１のプラグ挿入部１２
の反対側に回り込む。このとき、ジャック１のプラグ挿入部１２がＶＴＲ３の外部に露出
する。プラグ挿入部１２が外部に露出することで、一端が外部機器（例えば、ゲーム機、
ビデオカメラ等）と接続された接続ケーブルのプラグ（図示省略）を接続することが可能
である。
【００２５】
図３に本発明にかかるＡＶ機器の一例の正面図を示す。図３に示すＡＶ機器はここでは
ＶＴＲ３である。ＶＴＲ３の正面には、ビデオカセットを挿入する挿入口３２と、操作ボ
タン３３と、ＲＣＡジャック１と、操作ボタン３３を覆うカバー部３４とを備えている。
ＲＣＡジャック１は映像信号用のプラグ挿入孔１２Ｆと左右のステレオ音声信号用のプラ
グ挿入孔１２Ｌ，１２Ｒを有している。また、ジャックホルダ２の蓋部２１は閉位置Ｐ１
に配置されている。
【００２６】
通常ＶＴＲ３の操作は図示を省略したリモートコントローラで行うので、操作ボタン３
３は必要なくカバー部３４は閉じている。このとき、外部機器（例えば、ビデオカメラ、
ゲーム機等）を接続する場合、ＶＴＲ３と常に接続しているものではないので、背面又は
側面に設けられたジャックと接続するのは面倒である。そのため正面に設けられたジャッ
ク１と接続する。
【００２７】
正面に設けられたジャック１にはジャックホルダ２が取り付けられており、使用者はジ
ャックホルダ２を回動させてジャックホルダ２を開位置Ｐ２にした後、プラグを挿入する
。
【００２８】
図４（Ａ）に図３に示すＡＶ機器のジャックホルダが閉じた状態の拡大断面図を、図４
（Ｂ）にジャックホルダが開いた状態の拡大断面図を示す。図４（Ａ）、（Ｂ）両図に示
すように、ジャック１はＶＴＲ３に配置された基板Ｂに取付け固定されている。図４（Ａ
）に示すようにジャックホルダ２が閉じた状態Ｐ１では、ジャック１が外部に露出してお
らず、ジャック１及びプラグ挿入部１２への埃、塵等の異物の付着を防止することができ
る。
【００２９】
図４（Ｂ）に示すようにジャックホルダ２が開いた状態では、ジャックホルダ２の蓋部
２１はプラグ挿入部１２の反対側に回り込んで停止している。このときジャック１のプラ
グ挿入部１２の反対側の面１３の一部（それには限られないがここでは、上端部１３１）
と、ジャックホルダ２の蓋部２１の内面が接触している。
【００３０】
図４（Ｂ）に示すようにジャック１のプラグ挿入部１２にプラグ４を挿入するときに、
ジャック１にはプラグ４より図中矢印ａｒ１で示す方向に力が加えられる。このとき、支
持用ステー３１に回転可能に支持されたジャックホルダ２がその力に対して反力を発生し
、支持用ステー３１でジャック１に加えられた力を支持する。
【００３１】
このことにより、ジャックホルダ２がジャック１のプラグ挿入孔１２の反対側１３（１
３１）を支持するので、プラグ挿入による力が基板Ｂに伝わるのを低減することができる
。強度部材ではない基板Ｂへの力の伝達を低減しているので、基板Ｂ及び（又は）基板Ｂ
とジャック１の接合部の破損による不具合の発生を低減することが可能である。また、開
閉可能な蓋の機能と支持機構をひとつのジャックホルダ２で兼ねているので、構成部材を
減らすことができ、部材コスト、組み立てコストを低減することができる。
【００３２】
上記実施例において、ジャックホルダが保持するジャックとしてＲＣＡプラグを挿入す
るＲＣＡジャックを例に説明しているが、それに限定されるものではなく、Ｓ端子プラグ
を挿入するＳ端子ジャック、ヘッドホンジャック等プラグを挿入するジャックを保持する
ことができるジャックホルダを広く採用することができる。
【００３３】
また、上記実施例ではジャックホルダを備えたＡＶ機器としてＶＴＲを例示しているが
、それに限定されるものではなく、ＴＶ、ＤＶＤプレーヤ、ＣＤプレーヤ等ジャックを備
えたＡＶ機器に広く採用することができる。
【００３４】
上記実施例で示したジャックホルダはＡＶ機器の正面側に設けられているジャックを保
持するものを例に説明しているが、それに限定されるものではなく、背面及び（又は）側
面に設けられたジャックを保持するジャックホルダに採用してもよい。また、上述のジャ
ックホルダは開閉ともに使用者が手動で動作させるものを例示しているが、それに限定さ
れるものではなく、開動作及び閉動作のいずれも又はどちらか一方が自動で行われるもの
であってもよい。
【図面の簡単な説明】
【００３５】
【図１】本発明にかかるジャックホルダの斜視図である。
【図２】図１に示すジャックホルダの蓋部を開いた状態の斜視図である。
【図３】本発明にかかるＡＶ機器の一例の正面図である。
【図４】図（Ａ）は本発明にかかるジャックホルダが閉じた状態のＶＴＲの一例の側面図であり、図（Ｂ）はジャックホルダが開いた状態のＶＴＲの一例の側面図である、
【符号の説明】
【００３６】
１  ジャック
１１  本体部
１１１  正面
１２  プラグ挿入孔
２  ジャックホルダ
２１  蓋部
２２  側面支持部
２３  支持部
３  ＶＴＲ
３１  支持用ステー
３２  挿入口
３３  操作ボタン
３４  カバー部
４  プラグ
Ｂ  基板
【図１】
2006024505.tif 000003
【図２】
2006024505.tif 000004
【図３】
2006024505.tif 000005
【図４】
2006024505.tif 000006